(57)【要約】【課題】低コストで視認性の高い車両用表示装置を提供すること。【解決手段】所定の表示意匠部（３１）を有する表示手段（３０）と、灯体（１７）のオンオフ情報に基づいて、表示意匠部（３１）の背景色（４１，５１）を変更可能な制御部（２４）と、を有する車両用表示装置において、制御部（２４）は、オンオフ情報に基づいて、灯体（１７）がオフ状態となっている場合よりもオン状態となっている場合に背景色（４１，５１）の明度が低くなるよう、背景色（４１，５１）を変更させる。【選択図】図２
2017140983.tif 000002
【特許請求の範囲】
【請求項１】
所定の表示意匠部を有する表示手段と、灯体のオンオフ情報に基づいて、前記表示意匠部の背景色を変更可能な制御部と、を有する車両用表示装置において、
前記制御部は、前記オンオフ情報に基づいて、前記灯体がオフ状態となっている場合よりもオン状態となっている場合に前記背景色の明度が低くなるよう、前記背景色を変更させることを特徴とする車両用表示装置。
【請求項２】
前記灯体がオン状態となっている場合における前記背景色は、青色、緑色、及び、灰色から選択可能であることを特徴とする請求項１記載の車両用表示装置。
【発明の詳細な説明】
【技術分野】
【０００１】
本発明は、液晶ディスプレイ（表示装置）を備えた車両用表示装置に関する。
【背景技術】
【０００２】
車両用表示装置は、一般的に、乗員の前方に配置されたスピードメータ等の機器を少なくとも有している。これらの機器に隣接して、文字や図形を表示し乗員に情報を提供する液晶ディスプレイが配置されることがある。このような液晶ディスプレイを含む車両用表示装置に関する従来技術として特許文献１に開示される技術がある。
【０００３】
特許文献１に開示された車両用表示装置は、液晶ディスプレイと、この液晶ディスプレイの表示を制御する制御部と、を有し、灯体の点灯（オン）及び消灯（オフ）を切り替えるためのスイッチが備えられている。制御部は、スイッチからの信号に基づいて液晶ディスプレイの表示を変更する。即ち、灯体の点灯及び消灯に応じて液晶ディスプレイの表示は変更される。
【０００４】
詳細には、灯体が消灯している時、主に日中において、文字等の色は濃い色、背景色は薄い色が表示される。一方、灯体が点灯している時、主に夜間においては、文字等の色は薄い色、背景色は濃い色が表示される。日中と夜間で文字の色と背景色をそれぞれ反転させることにより、日中及び夜間を通じて、液晶ディスプレイに表示される文字等は見易くなる。
【０００５】
ここで、灯体の点灯時及び消灯時において、液晶ディスプレイに表示される文字等そのものは同じだが、文字の色及び背景色は、それぞれ異なる。そのため、文字等及び背景色のそれぞれについて、灯体が点灯している時の表示データと、灯体が消灯している時の表示データとが必要となる。より容量の多いメモリが必要となり、コストが嵩む。
【先行技術文献】
【特許文献】
【０００６】
【特許文献１】特開平１０−３０９９８４号公報
【発明の概要】
【発明が解決しようとする課題】
【０００７】
本発明は、低コストで視認性の高い車両用表示装置の提供を課題とする。
【課題を解決するための手段】
【０００８】
請求項１による発明によれば、所定の表示意匠部を有する表示手段と、灯体のオンオフ情報に基づいて、前記表示意匠部の背景色を変更可能な制御部と、を有する車両用表示装置において、
前記制御部は、前記オンオフ情報に基づいて、前記灯体がオフ状態となっている場合よりもオン状態となっている場合に前記背景色の明度が低くなるよう、前記背景色を変更させることを特徴とする車両用表示装置が提供される。
【０００９】
請求項２に記載のごとく、好ましくは、前記灯体がオン状態となっている場合における前記背景色は、青色、緑色、及び、灰色から選択可能である。
【発明の効果】
【００１０】
請求項１に係る発明では、制御部は、灯体のオンオフ情報に基づいて、灯体がオフ状態となっている場合よりもオン状態となっている場合に表示手段の背景部の明度が低くなるよう、当該背景色を変更させる。この時、制御部は、文字等の色を変更しない。即ち、灯体のオンオフ情報に基づいて、表示手段の背景色のみが変更される。この場合、文字等について、灯体のオン状態時の表示データと、灯体のオフ状態時の表示データとは、共用化することができる。そのため、文字等についての表示データが少なくなる。表示手段に表示をするための表示データの量を抑えることができるため、容量の小さなメモリで足りる。結果、コストを抑えて視認性の高い車両用表示装置が製造できる。
【００１１】
請求項２に係る発明では、灯体がオン状態となっている場合における背景色は、青色、緑色、及び、灰色から選択可能である。乗員は、背景色を選択できるため、乗員により異なる色の見易さや色の好みに対応することができる。加えて、一般に、液晶ディスプレイに表示され乗員に警告を伝える文字等の色には赤が用いられる。青色、緑色、及び、灰色のいずれの色を背景色として選択しても、警告は視認しやすい。
【図面の簡単な説明】
【００１２】
【図１】本発明の実施例による車両としての自動二輪車の前部の平面図である。
【図２】図１に示された自動二輪車に搭載された表示手段に表示される画面を説明する図である。
【図３】図２に示された車両情報画面の背景色の変更条件について説明するフロー図である。
【発明を実施するための形態】
【００１３】
本発明の実施の形態を添付図に基づいて以下に説明する。なお、説明中、左右とは車両の乗員を基準として左右、前後とは車両の進行方向を基準として前後を指す。また、図中Ｆｒは前、Ｒｒは後、Ｌは乗員から見て左、Ｒは乗員から見て右を示している。
＜実施例＞
【００１４】
図１を参照する。図１には、本発明が採用された車両の一例としての自動二輪車１０が示されている。この自動二輪車１０は、前後方向に延びる車体を覆うカウル１１と、車幅方向に延びるハンドルバーを覆うハンドルカバー１２と、ハンドルバーの両端に設けられる左右のグリップ１３，１３と、右のグリップ１３の前方に設けられるブレーキレバー１４と、左のグリップ１３の前方に設けられるクラッチレバー１５と、左右のレバー１４，１５の上方に設けられる左右のバックミラー１６，１６と、ハンドルバーの中央に設けられる計器２０と、計器２０の前方に設けられるヘッドライト（灯体）１７と、前輪を覆うフロントフェンダ１８と、からなる。
【００１５】
計器２０は、速度計２１と、回転計２２と、乗員に車両情報等を伝えるための後述する所定の表示意匠部（表示部）を有する液晶ディスプレイ（表示手段）３０と、を有する。自動二輪車１０には、液晶ディスプレイ３０を制御する制御部２４が備えられている。
【００１６】
ヘッドライト１７は、左のグリップ１３の近傍に設けられたヘッドライトスイッチ２５を操作（手動操作）することによって、点灯（オン状態）、及び、消灯（オフ状態）が切り替えられる。スイッチ２５は、前後方向にスライド可能に設けられており、前方にスライドさせるとヘッドライト１７が点灯する。後方にスライドさせるとヘッドライト１７が消灯する。
【００１７】
制御部２４は、ヘッドライト１７が点灯しているか消灯しているかについての情報（つまりヘッドライト１７のオンオフ情報）を、スイッチ２５から受ける。換言すれば、スイッチ２５は、ヘッドライト１７が点灯しているか消灯しているかについて、制御部２４に電気信号を送信する。制御部２４は、液晶ディスプレイ３０のバックライトが実装される制御基板に一体的に設けられることが望ましい。
【００１８】
次に、液晶ディスプレイ３０について説明する。図２を参照する。図２には、液晶ディスプレイ３０に表示される一例としての画面４０，５０，６０が示されている。
【００１９】
図２（ａ）、（ｂ）を参照する。図２（ａ）、（ｂ）には、自動二輪車１０の車両情報画面４０，５０が示されている。車両情報（前記表示意匠部）として、例えば、時刻３２、区間距離３３、総走行距離３４、及び、燃料の残量３５が液晶ディスプレイ３０に表示される。
【００２０】
図２（ａ）には、ヘッドライト１７が消灯している場合、即ち、主に日中における車両情報画面４０（以下、日中モードの車両情報画面４０とする）が示されている。日中モードの車両情報画面４０では、時刻等３２〜３５の色は、黒が表示され、日中の背景色４１（以下、日中背景色４１とする）は、白が表示される。
【００２１】
図２（ｂ）には、ヘッドライトが点灯している場合、即ち、主に夜間における車両情報画面５０（以下、夜間モードの車両情報画面５０とする）が表示されている。夜間モードの車両情報画面５０では、時刻等３２〜３５の色は、黒が表示され、夜間の背景色（以下、夜間背景色５１とする）は、日中背景色４１よりも明度の低い色（例えば、青色）が表示される。なお、ここでは、日中モードと夜間モードとで時刻等３２〜３５の明度は不変であるものとする。
【００２２】
なお、燃料が所定の量よりも少なくなると、日中及び夜間モードの車両情報画面４０，５０において、燃料の残量３５を示す一部の色は、黒から赤に変更される。
【００２３】
図２（ｃ）を参照する。図２（ｃ）には、夜間モードの車両情報画面５０における夜間背景色５１の選択画面が示されている。乗員は、この選択画面６０において、夜間背景色５１を選択することができる。
【００２４】
夜間背景色５１は、例えば、青色、緑色、第１の灰色、及び、第２の灰色から選択できる。これらの夜間背景色５１（青色、緑色、第１の灰色、及び、第２の灰色）は、日中背景色４１（白色）よりも明度が低い。夜間モードの車両情報画面５０には、選択画面６０において乗員が予め選択した夜間背景色５１が表示される。本実施例では、夜間背景色５１として青色を選択したとする。
【００２５】
なお、夜間モードの車両情報画面５０における時刻等３２〜３５の色（輝度）は、夜間背景色５１の明度（輝度）のおよそ７倍程度であることが望ましい。この比率であるときに、最も視認性が高かった。
【００２６】
次に、日中モードの車両情報画面４０と夜間モードの車両情報画面５０の切り替えについて説明する。
【００２７】
図２及び図３を参照する。始めに、自動二輪車１０のイグニッションスイッチによりエンジンが始動する（ステップ１（以下、「ステップ」を「ＳＴ」と略記する。））。エンジンが始動すると、液晶ディスプレイ３０には日中モードの車両情報画面４０が表示される。即ち、制御部２４は、車両情報画面３１（前記表示意匠部）の背景色を日中背景色４１（白色）に設定する（ＳＴ２）。
【００２８】
スイッチ２５からの電気信号に基づいて、制御部２４は、ヘッドライト１７が点灯されたかを判断する（ＳＴ３）。ヘッドライト１７が消灯している場合において、イグニッションスイッチがオフにされたとき、エンジンは停止し、終了する（ＳＴ４）。イグニッションスイッチがオンのままである場合には、ＳＴ３に戻る。
【００２９】
一方、ＳＴ３においてヘッドライト１７が点灯すると、日中モードの車両情報画面４０から夜間モードの車両情報画面５０となる。即ち、ヘッドライト１７の点灯が検出された場合、制御部２４は、車両情報画面３１の背景色を日中背景色４１（白色）から夜間背景色５１（青色）に変更する（ＳＴ５）。
【００３０】
白色から青色への変化は、瞬時に行われるのでなく、５秒間かけて漸次変化する。即ち、背景色の明度は、日中背景色４１（白色）の明度から夜間背景色５１（青色）の明度へと徐々に低下する。
【００３１】
その後、ヘッドライトスイッチ２５からの検出信号に基づいて、制御部２４は、ヘッドライト１７が消灯されたかを判断する（ＳＴ６）。制御部２４は、ヘッドライト１７が消灯されていない場合には、イグニッションスイッチがオフにされたかを判断する（ＳＴ７）。イグニッションスイッチがオフにされた場合、車両情報画面３１の背景色が夜間背景色５１（青色）の状態（夜間モード）のまま、エンジンは停止し、終了する。イグニッションスイッチがオンのままである場合には、ＳＴ６に戻る。
【００３２】
一方、ＳＴ６においてヘッドライト１７が消灯すると、液晶ディスプレイ３０は、夜間モードから日中モードとなる。即ち、ヘッドライト１７の点灯が検出された場合、制御部２４は、車両情報画面３１の背景色を夜間背景色５１（青色）から日中背景色４１（白色）に変更する（ＳＴ８）。夜間背景色５１から日中背景色４１への変化も、５秒間かけて、背景色の明度が漸次変化する。
【００３３】
その後、制御部２４は、イグニッションスイッチがオフにされたかを判断する（ＳＴ９）。イグニッションスイッチがオフにされた場合、車両情報画面３１の背景色が日中背景色４１の状態（日中モード）で、エンジンは停止し、終了する。イグニッションスイッチがオンのままである場合には、ＳＴ３に戻る。
【００３４】
次に本発明の作用及び効果について説明する。
【００３５】
図２及び図３を参照する。制御部２４は、ヘッドライトスイッチ２５からの情報（つまりヘッドライト１７のオンオフ情報）に基づいて、ヘッドライト１７が消灯している場合よりも点灯している場合に明度が低くなるよう、車両情報画面３１の背景色を日中背景色４１（白色）から夜間背景色５１（青色）に変更する（ＳＴ５）。この時、制御部２４は、時刻等３２〜３５の色を変更しない。即ち、ヘッドライトスイッチ２５からの情報に基づいて、車両情報画面３１の背景色のみが白色から青色に変更される。
【００３６】
時刻等３２〜３５の色は変更されないため、時刻等３２〜３５の色について、日中モードの車両情報画面４０の表示データと、夜間モードの車両情報画面５０の表示データとは、共用化することができる。そのため、時刻等３２〜３５についての表示データが少なくなる。車両情報画面３１に表示をするためのデータの量を抑えることができるため、容量の小さなメモリで足りる。結果、コストを抑えて視認性の高い車両用表示装置を製造できる。
【００３７】
夜間背景色５１（青色）から日中背景色４１（白色）への変更も同様である（ＳＴ８）。説明は省略する。
【００３８】
ここで、日中背景色４１（白色）と夜間背景色５１（青色）との変更の際、液晶ディスプレイ３０のバックライトの調光（明るさの変化）は行っていない。即ち、液晶ディスプレイ３０には、調光機能のないバックライトを用いることができる。そのため、コストを抑えて視認性の高い車両用表示装置を製造できる。
【００３９】
図２（ｃ）を参照する。加えて、夜間背景色５１は、青色のほか、緑色、第１の灰色、及び、第２の灰色から選択可能である。乗員は、夜間背景色５１を選択できるため、乗員により異なる色の見易さや色の好みに対応することができる。加えて、燃料が所定の量よりも少なくなると、燃料の残量３４を示す部位の色は、黒から赤に変更される。いずれの色を夜間背景色５１として選択しても、警告は視認しやすい。
【００４０】
制御部２４は、液晶ディスプレイ３０のバックライトが実装される制御基板に一体的に設けられることが望ましい。部品の共通化を図ることができると共に、コンパクト化を図ることができる。
【００４１】
なお、本実施例では、自動二輪車に搭載された車両用表示装置について説明したが、本発明は、四輪車等にも採用することができる。さらには、本実施例では制御部２４は、乗員がヘッドライトスイッチ２５を手動で操作（オン操作もしくはオフ操作）することによりヘッドライトスイッチ２５から出力される操作信号（前記電気信号）に基づいて、背景色を変化させる処理を実行するものであったが、本発明は当該手動による操作ではなく車体の適宜箇所に取り付けられたヘッドライト用の照度検出手段からの情報に基づき、ヘッドライト１７が点灯しているか否かの情報（つまりヘッドライト１７のオンオフ情報）を自動的に取得するようにしてもよい。つまり、この場合、制御部２４は前記照度検出手段から出力される上述のヘッドライト１７のオンオフ情報としての検出信号（電気信号）に基づいて、背景色を変化させる処理を実行することになる。また、本発明の作用及び効果を奏する限りにおいて、本発明は、実施例に限定されるものではない。同様に、時刻等３２〜３５の色も黒色には限られない。
【産業上の利用可能性】
【００４２】
本発明の車両は、自動二輪車として実施するのに好適である。
【符号の説明】
【００４３】
１０…自動二輪車
１７…ヘッドライト
２４…制御部
２５…ヘッドライトスイッチ
３０…液晶ディスプレイ
３１…車両情報画面
３２〜３５…時刻等
４０…日中モードの車両情報画面
４１…日中背景色
５０…夜間モードの車両情報画面
５１…夜間背景色
【図１】
2017140983.tif 000003
【図２】
2017140983.tif 000004
【図３】
2017140983.tif 000005